(57)【要約】【課題】  電子機器に組み込み可能とした色覚支援装置を提供する。【解決手段】  カメラ１にて撮像された画像データの少なくとも一部の複数画素に、制御部２がそれぞれ所定画素値を加算し、画像データの加工を行い、当該加工された画像データを表示部５に表示させる色覚支援装置である。【選択図】        図１
2005267276.tif 000002
【特許請求の範囲】
【請求項１】
撮像した画像データを出力する撮像手段と、
前記画像データの少なくとも一部の複数画素に、それぞれ所定画素値を加算し、前記画像データの加工を行う画像加工手段と、
前記画像加工手段にて加工された画像データを表示する表示手段と、
を含むことを特徴とする色覚支援装置。
【請求項２】
撮像した画像データを出力する撮像手段と、
前記画像データ内に、第１、第２の領域を画定し、前記画定した各領域に異なる所定第１、第２の画素値を、対応する領域内の各画素に加算し、前記画像データの加工を行って出力する画像加工手段と、
前記画像加工手段から出力された画像データを表示する表示手段と、
を含むことを特徴とする色覚支援装置。
【請求項３】
請求項２に記載の色覚支援装置において、
前記画像加工手段は、指示により、前記加工を行うか否かを定め、加工を行わないときには、前記撮像手段にて撮像された画像データをそのまま出力する
ことを特徴とする色覚支援装置。
【請求項４】
請求項２又は３に記載の色覚支援装置において、
前記画像加工手段は、前記第１、第２の領域の形状を指示により変更することを特徴とする色覚支援装置。
【請求項５】
撮像した画像データを出力する撮像手段と、表示手段とを備えたコンピュータに、
前記画像データ内に、第１、第２の領域を画定する手順と、
前記画定した各領域に異なる所定第１、第２の画素値を、対応する領域内の各画素に加算し、前記画像データの加工を行って出力する手順と、
前記加工後の画像データを前記表示手段に表示させる手順と、
を実行させることを特徴とする色覚支援プログラム。
【発明の詳細な説明】
【技術分野】
【０００１】
本発明は、人間の色覚を支援する色覚支援装置に関する。
【背景技術】
【０００２】
色覚認識を補助する装置として、従来から色々な装置が考えられている。例えば、対象物にセンサを当接させ、ボタンを押下すると、当該対象物の色名を音声にて通知する装置（非特許文献１）などがある。
【０００３】
また、赤色や緑色のセロファン紙を２枚並べたフィルタを用いて、赤なのか緑なのかが不明となっている対象物にかざすことで、当該対象物の外形が消失すれば赤色、しなければ緑色と判別できるとする器具も考案されている。
【非特許文献１】「カラートーク」、2004年３月８日検索、[インターネット]<URL:http://www.hokkei.co.jp/c_1.html>
【発明の開示】
【発明が解決しようとする課題】
【０００４】
しかしながら、上記従来の色名を音声で通知する装置では、対象物にセンサを接触させる必要があるため、対象物の種類が限られる（センサを接触させられない対象物の色名を知ることができない）という問題点がある。
【０００５】
一方、上記の器具は、かかる問題点もなく、色覚認識を補助するものとして便利であるが、普段携行する電子機器（例えば携帯電話機やＰＤＡ（Personal Digital Assistant）など）に、これらの機能が組み込まれればその利便性が一層向上すると考えられる。
【０００６】
本発明は上記実情に鑑みて為されたもので、電子機器に組み込み可能とした色覚支援装置を提供することを、その目的の一つとする。
【課題を解決するための手段】
【０００７】
上記の目的を達成するためには、撮像された対象物の色を加工調整する手段が必要となる。すなわち、本発明の一態様に係る色覚支援装置は、撮像した画像データを出力する撮像手段と、前記画像データの少なくとも一部の複数画素に、それぞれ所定画素値を加算し、前記画像データの加工を行う画像加工手段と、前記画像加工手段にて加工された画像データを表示する表示手段と、を含むものである。
【０００８】
また、本発明の別の態様に係る色覚支援装置は、撮像した画像データを出力する撮像手段と、前記画像データ内に、第１、第２の領域を画定し、前記画定した各領域に異なる所定第１、第２の画素値を、対応する領域内の各画素に加算し、前記画像データの加工を行って出力する画像加工手段と、前記画像加工手段から出力された画像データを表示する表示手段と、を含むことを特徴としている。
【０００９】
ここで前記画像加工手段は、指示により、前記加工を行うか否かを定め、加工を行わないときには、前記撮像手段にて撮像された画像データをそのまま出力するようにしてもよい。これにより画像を加工した状態とそうでない状態とを切り替えて視認することができ、場合によって色覚認識を一層容易にできる。
【００１０】
また、前記画像加工手段は、前記第１、第２の領域の形状を指示により変更することとしてもよい。対象物の形状に合わせて加工範囲を調整できるようにしておくことで、色覚認識に資することができると考えられるからである。
【００１１】
本発明の別の態様に係るプログラムは、撮像した画像データを出力する撮像手段と、表示手段とを備えたコンピュータに、前記画像データ内に、第１、第２の領域を画定する手順と、前記画定した各領域に異なる所定第１、第２の画素値を、対応する領域内の各画素に加算し、前記画像データの加工を行って出力する手順と、前記加工後の画像データを前記表示手段に表示させる手順と、を実行させることを特徴としている。
【発明を実施するための最良の形態】
【００１２】
本発明の実施の形態について図面を参照しながら説明する。本実施の形態に係る色覚支援装置は、例えばカメラ付きの携帯電話機を用いて実現できるので、以下ではこの例について述べる。すなわち、本実施の形態の色覚支援装置を実現する携帯電話機は、図１に示すように、カメラ１と、制御部２と、記憶部３と、操作部４と、表示部５と、通信部６とを含んで構成されている。
【００１３】
カメラ１は、本発明の撮像手段であり、光電変換を行うセンサを有してなり、制御部２から撮像指示の入力を受けて、当該センサを用いて撮像した画像データを出力する。ここでカメラ１は、連続的に撮像を行って、画像データを連続的に出力するようにしてもよい。
【００１４】
制御部２は、記憶部３に格納されているプログラムに従って動作する。具体的にこの制御部２は、利用者から、カメラ１により撮像された画像を表示するべき旨の指示操作を受けて、カメラ１から入力される画像データの少なくとも一部の画素の値に、所定の画素値を加算する画像加工処理を行う。そして制御部２は、当該画像加工処理後の画像データを表示部５に出力して表示させる。これらの処理の具体的な内容については後に詳しく述べる。またこの制御部２は、携帯電話機としての機能を実現するための処理（電話帳管理や通信・通話の処理など）を行っているが、ここでの詳細な説明を省略する。
【００１５】
記憶部３は、ＰＲＯＭ等の不揮発性メモリ素子で実現され、制御部２によって実行されるプログラムや、通信機能のために必要なデータなどを保持している。また、本実施の形態の記憶部３は、制御部２における画像加工処理時に加算される上記画素値（以下、「加算画素値」と呼ぶ）を少なくとも一つ保持している。
【００１６】
操作部４は、キーパッド等であり、電話の発呼や着信に要するキーやカメラの制御のためのキーなどを含む。操作部４は、利用者からの指示操作を受け入れて、当該指示操作の内容を制御部２に出力する。表示部５は、液晶ディスプレイ等であり、制御部２から入力される画像データを表示する。通信部６は、携帯電話機としての通信を行うためのものである。
【００１７】
ここで制御部２の画像加工処理の具体的内容について説明する。制御部２は、カメラ１から入力される画像データの少なくとも一部領域（例えば図２（ａ）を参照）を画定し、当該画定した領域内の画素の値に、記憶部３に格納されている加算画素値の一つを加算する。なお、加算の結果、値域を越えた値については値域の最大値を設定する。
【００１８】
具体的には、上記画定した領域内の画素の値（ＲＧＢ値）に、Ｒ成分の値が「２５５」（値域の最大値）、Ｇ，Ｂの各成分の値が「０」となっている加算画素値（赤色に対応する値）を加算するのである。この処理により、図２（ａ）に示す領域（ハッチングを施した領域）内の画素は赤色成分に差がなくなる（すべて「２５５」となる）。このため、当該領域内は、赤色のフィルタを介して視認したと同様の状態となり、赤色の部分が含まれていても、当該部分は他の部分と識別できない状態となる。利用者は、表示部５に表示された、加工された画像データと、対象物とを見比べることで、対象物の色が赤であるか否かを確認できるようになる。
【００１９】
制御部２は、操作部４から入力された操作に応じて、上記加算を行うか否かを変更してもよい。これにより利用者は、加工を行った状態と加工前の状態（撮像されたままの状態）とを操作によって比較できるようになる。
【００２０】
またここでは、１色を加算する場合について述べたが、カメラ１から入力される画像データ内に、複数の領域を画定し、これら画定した各領域に異なる加算画素値を用いて、各領域内の画素値に加算し、画像データの加工を行ってもよい。
【００２１】
これら領域ごとに異なる加算画素値は、次のようにして定めることができる。すなわち、人間の色覚特性のうちには、図３に示すように、ｘｙ色空間上に引いた線分上の色同士を識別しない特性がある。そこで、これらの線分のうち一つの線分を選択し、当該選択した線分上にある複数の色（例えば図３のＰ（赤色近傍），Ｑ（緑色近傍））に対応する画素値とする。また、他の色覚特性についても同様の線分（混同色線）が決定できる場合は、一つの混同色線上の複数の点に対応する画素値を加算画素値とする。
【００２２】
具体的に、制御部２は、カメラ１から入力された画像データ内に、図２（ｂ）に示すように複数の領域を画定する。そして、各領域に加算画素値を一つずつ対応づけ、各領域に含まれる画素の値に、対応する加算画素値を加算する。例えば図２（ｂ）に示した左側の領域（Ａ１）に含まれる各画素にはＰ点に対応する画素値を加算し、右側の領域（Ａ２）に含まれる各画素にはＱ点に対応する画素値を加算する。これにより、領域Ａ１内では、Ｐに対応する色（点Ｐ近傍の色を含む）で着色された部分の輪郭が視認しにくくなり、領域Ａ２内では、Ｑに対応する色（点Ｑ近傍の色を含む）で着色された部分の輪郭が視認しにくくなる。
【００２３】
利用者は、携帯電話機を移動させてカメラ１による撮像範囲を移動させながら、領域Ａ１内で対象物の輪郭が視認しにくくなれば、その対象物はＰ点近傍の色であると理解でき、領域Ａ２内で対象物の輪郭が視認しにくくなれば、その対象物はＱ点近傍の色であると理解できるようになる。
【００２４】
なお、制御部２は、各領域に、その領域に対応づけた加算画素値を表す色名を表示してもよい。また、制御部２は、操作部４から所定の操作が行われたときに、当該指示操作により、加算画素値を加算する加工を行うか否かを定め、加工を行わないときには、カメラ１から入力される画像データをそのまま表示部５に表示させるようにしてもよい。
【００２５】
また、制御部２は、指示操作に応じて領域の形状を変更してもよい。例えば、図２（ｂ）では、カメラ１から入力された画像データの左半分（５０％）と、右半分（５０％）とに分けているが、この比を変更し、例えば図２（ｃ）に示すように、左側の領域Ａ１の面積を小さくしてもよい。また、図２（ｄ）に示すように、領域の形状を台形にしてもよい。
【００２６】
さらに制御部２は、指示操作に応じて領域ごとに対応する加算画素値を入替えてもよい。例えば上述のように、左側の領域（Ａ１）に含まれる各画素にはＰ点に対応する画素値を加算し、右側の領域（Ａ２）に含まれる各画素にはＱ点に対応する画素値を加算していた場合、これらを入替えて左側の領域（Ａ１）に含まれる各画素にＱ点に対応する画素値を加算し、右側の領域（Ａ２）に含まれる各画素にＰ点に対応する画素値を加算するように切替えてもよい。
【００２７】
さらに、本実施の形態の制御部２は、表示部５上に、カメラ１から入力される画像データそのもの（加工を行わないもの）と、加工後の画像データとを並べて表示してもよい。
【００２８】
なお、ここまでの説明では、制御部２は、カメラ１で撮像され、連続的に入力される画像データについて上記加工を行うようにしていたが、これに代えて、既に撮像され、記憶部３に格納された画像データに対して上記加工を行ってもよい。
【図面の簡単な説明】
【００２９】
【図１】本発明の実施の形態に係る色覚支援装置の一例を表す構成ブロック図である。
【図２】本発明の実施の形態に係る色覚支援装置による画面表示例を表す説明図である。
【図３】人間の色覚特性の一例を表す説明図である。
【符号の説明】
【００３０】
１  カメラ、２  制御部、３  記憶部、４  操作部、５  表示部、６  通信部。
【図１】
2005267276.tif 000003
【図２】
2005267276.tif 000004
【図３】
2005267276.tif 000005